(57)【要約】【課題】  収納する品物の高さに合わせて吊下げ高さを変更でき、品物の高さの違いで収納を不便にしたり、収納作業に支障を来たすことがないようにすると共に、引き出し等の内部にデッドスペースが生じないよう、効率良く収納できるようにする。【解決手段】  本発明は、引き出し類３の中に吊下げて設置する吊下げ式収納具１である。収納具１は、引き出し類３の側部の上方に、引き出し類３の前板３ａと後板３ｂにわたって架設されているバー４に引っ掛ける第１の物入れ１ａと、この第１の物入れ１ａに引っ掛ける第２の物入れ１ｂとを備える。第１の物入れ１ａの外側面に、バー４への引っ掛け箇所５を多段状に複数形成する。またこの外側面とは異なる第１の物入れ１ａの他の外側面に、第２の物入れ１ｂの引っ掛け部６を引っ掛けるためのフック受け７を形成する。【選択図】      図１
2014087459.tif 000002
【特許請求の範囲】
【請求項１】
引き出し類の中に吊下げて設置する吊下げ式収納具であって、引き出し類の側部の上方に、引き出し類の前板と後板にわたって架設されているバーに引っ掛けられる第１の物入れと、この第１の物入れに引っ掛けられる第２の物入れとを備え、上記の第１の物入れは、その外側面に、バーへの引っ掛け箇所が多段状に複数形成され、この外側面とは異なる第１の物入れの他の外側面に、上記の第２の物入れの引っ掛け部を引っ掛けるためのフック受けが形成されていることを特徴とする吊下げ式収納具。
【請求項２】
請求項１記載の吊下げ式収納具であって、第１の物入れのフック受けが、多段状に複数形成されていることを特徴とする吊下げ式収納具。
【請求項３】
請求項２記載の吊下げ式収納具であって、第１の物入れの少なくとも２箇所のフック受けに第２の物入れを引っ掛け可能になるよう第２の物入れの引っ掛け部が、多段状に少なくとも２個形成されていることを特徴とする吊下げ式収納具。
【請求項４】
請求項１乃至３の何れかに記載の吊下げ式収納具であって、第１の物入れが上面開口状の箱形容器状に形成され、この第１の物入れの一方側の外側面に引っ掛け箇所が形成され、反対側の外側面にフック受けが形成されていることを特徴とする吊下げ式収納具。
【請求項５】
請求項１乃至４の何れかに記載の吊下げ式収納具を備え、第１の物入れの各引っ掛け箇所に対応させてバーが多段状に複数形成され、第１の物入れが高さの異なる少なくとも２箇所の引っ掛け箇所を介してバーに引っ掛け可能に形成されていることを特徴とするキャビネット。
【発明の詳細な説明】
【技術分野】
【０００１】
本発明は、吊下げ式収納具に関し、更に詳しくは、例えば引き出しの側部の上方に、引き出しの前板と後板とにわたって架設されているバーに引っ掛けて設置する吊下げ式収納具及びこれを備えた流し台等のキャビネットに関するものである。
【背景技術】
【０００２】
従来、この種の収納具としては、例えば特許文献１に記載されているものがある。
この従来品は、トレイ本体の両側板に、引き出しの両側の平行一対の棒材（バー）に引っ掛けるための引っ掛け部が形成され、この引っ掛け部を利用して引き出しに横架状に設置できるよう形成されている。
【０００３】
ところで、例えば引き出し等の収納庫は、内部の高さ（深さ）が決められている反面、収納する品物の高さは、例えば醤油や酒等の背の高い容器から、皿や茶托等の背の低い品物まで、多種多様である。
従って、引き出し等の中に吊下げて設置するこの種の収納具は、引き出し等の内部にデッドスペースが生じないよう、品物の背の高さに合わせて吊下げ高さを柔軟に変更できるよう形成されているのが望ましい。
【０００４】
しかるに、従来のこの種の収納具は、バーに横架状に設置できるのに止まるものであったから、従来品によると、収納作業が不便で、また引き出し等の内部にデッドスペースを生じ易く、引き出し等の収納庫に、品物を効率良く収納することができない、という問題点があった。
【先行技術文献】
【特許文献】
【０００５】
【特許文献１】実公平７−１６３４３号公報
【発明の概要】
【発明が解決しようとする課題】
【０００６】
本発明は、このような従来品の問題点に鑑み、提案されたものである。
従って、本発明の解決しようとする技術的課題は、収納する品物の高さに合わせて吊下げ高さを変更でき、品物の高さの違いで収納を不便にしたり、収納作業に支障を来たすことがないようにすると共に、引き出し等の内部にデッドスペースが生じないよう、効率良く収納できるよう形成した吊下げ式収納具及びこれを備えた同様の効果を奏するキャビネットを提供することにある。
【課題を解決するための手段】
【０００７】
本発明は、上記の課題を解決するため、次のような技術的手段を採る。
即ち本発明は、図１等に示されるように、引き出し類３の中に吊下げて設置する吊下げ式収納具１であって、引き出し類３の側部の上方に、引き出し類３の前板３ａと後板３ｂにわたって架設されているバー４に引っ掛けられる第１の物入れ１ａと、この第１の物入れ１ａに引っ掛けられる第２の物入れ１ｂとを備え、上記の第１の物入れ１ａは、その外側面に、バー４への引っ掛け箇所５が多段状に複数形成され、この外側面とは異なる第１の物入れ１ａの他の外側面に、上記の第２の物入れ１ｂの引っ掛け部６を引っ掛けるためのフック受け７が形成されていることを特徴とする（請求項１）。
【０００８】
ここで、引き出し類３とは、流し台や洗面化粧台等の引き出しのほか、床下収納庫のように、上面から品物を出し入れする形式の収納庫など、収納具１を吊り下げて設置できる収納箇所のことを意味する。
本発明の場合、第１の物入れ１ａ、第２の物入れ１ｂの外形状や大きさ、形成材料等は自由であり、第２の物入れ１ｂは複数でも良い。
【０００９】
而して、本発明の場合は、第１の物入れ１ａのフック受け７が、多段状に複数形成されているのが好ましい（請求項２）。
なぜならこれによると、第２の物入れ１ｂの吊下げ高さを変更でき、より使い勝手が良くなるからである。この場合、フック受け７は、通常、例えば凹形や溝形に形成されるが、第１の物入れ１ａの外側壁にスリット状に形成されているのでも良い。
【００１０】
またこの本発明の場合は、図１、図２等に示されるように、第１の物入れ１ａの少なくとも２箇所のフック受け７に第２の物入れ１ｂを引っ掛け可能になるよう第２の物入れ１ｂの引っ掛け部６が、多段状に少なくとも２個形成されているのが好ましい（請求項３）。
なぜならこれによれば、第２の物入れ１ｂを第１の物入れ１ａに少なくとも２箇所で引っ掛けることができ、第２の物入れ１ｂの吊下げ姿勢を安定化できるからである。
【００１１】
また本発明は、図１等に示されるように、第１の物入れ１ａが上面開口状の箱形容器状に形成され、この第１の物入れ１ａの一方側の外側面に引っ掛け箇所５が形成され、反対側の外側面にフック受け７が形成されているのが好ましい（請求項４）。
なぜならこれによると、第１の物入れ１ａが矩形のため取り扱い易くなり、またバー４と直交する水平方向に第２の物入れ１ｂを配置できるため、本発明品をバー４に重心が安定した状態でバランス良く、吊下げることができるからである。
【００１２】
また本発明のキャビネット２としては、図１、図６等に示されるように、請求項１乃至４の何れかに記載の吊下げ式収納具１を備え、第１の物入れ１ａの各引っ掛け箇所５に対応させてバー４が多段状に複数形成され、第１の物入れ１ａが高さの異なる少なくとも２箇所の引っ掛け箇所５を介してバー４に引っ掛け可能に形成されていることを特徴とするものがある（請求項５）。
【００１３】
本発明のキャビネット２は、品物を効率良く収納できるだけではなく、第１の物入れ１ａが２箇所の引っ掛け箇所５を介してバー４に引っ掛けられるため、これによれば、第１の物入れ１ａを安定した姿勢で吊下げることができる。
なお、本発明のキャビネット２としては、例えば流し台や食器棚等の台所用キャビネットや、洗面化粧台等の衛生設備室用キャビネットがある。
【発明の効果】
【００１４】
本発明の収納具及びキャビネットは、上記のように形成されている。
従って、本発明は、収納する品物の高さに応じて第１の物入れの引っ掛け箇所を変え、吊下げ高さを変更できる。
それ故、本発明は、品物の高さの違いで収納を不便にしたり、収納作業に支障を来たすことがない。また本発明によれば、引き出し類の内部にデッドスベースが生じることを防止でき、瓶等の品物を効率良く収納できる。
【図面の簡単な説明】
【００１５】
【図１】本発明の収納具の好適な一実施形態を示す使用状態時の要部斜視図である。
【図２】同上収納具の要部断面図である。
【図３】Ａは第1の物入れの側面図、Ｂは第２の物入れの側面図である。
【図４】同上収納具の他の使用状態時の要部斜視図である。
【図５】図４の使用状態時の要部断面図である。
【図６】本発明キャビネットの斜視図である。
【発明を実施するための形態】
【００１６】
以下、本発明の収納具１及びキャビネット２を実施するための好適な一実施形態を、添付図面に従って説明する。
キャビネット２は、図６に示されるように、流し台である。この実施形態の本発明の収納具１は、キャビネット２としての流し台の引き出し３内に設置される例である。
【００１７】
本発明の収納具１は、図１、図６等に示されるように、引き出し類としての引き出し３の中に吊下げて設置するものである。本発明の収納具１は、引き出し３の側部の上方に、引き出し３の前板３ａと後板３ｂにわたって架設されているバー４に引っ掛けられる第１の物入れ１ａと、この第１の物入れ１ａに引っ掛けられる第２の物入れ１ｂとを備えて形成されている。
【００１８】
第１の物入れ１ａと第２の物入れ１ｂは、この実施形態ではともに上面開口状の箱形容器状に合成樹脂材で形成されている。
なお、第２の物入れ１ｂは、この実施形態では２個備えられている。
【００１９】
上記のバー４は、例えばステンレスの丸棒で形成されている。またバー４は、この実施形態では引き出し３の前板３ａと後板３ｂの両側に、上下二段状に架設されている。３ｃは、バー４の下側の背の低い側板であり、３ｄは引き出し３の底板である。
【００２０】
上記の第１の物入れ１ａは、その外側面に、バー４への引っ掛け箇所５が、この実施形態では３段状に計３個形成されている。この引っ掛け箇所５は、丸棒状のバー４とフィットするよう、この実施形態では第１の物入れ１ａの横幅方向の全長にわたって縦断面逆Ｕ字形のフック状に、且つ全て同一状に形成されている。
【００２１】
また本発明は、引っ掛け箇所５が形成された外側面とは異なる第１の物入れ１ａの他の外側面に、上記の第２の物入れ１ｂの引っ掛け部６を引っ掛けるためのフック受け７が形成されている。
【００２２】
このフック受け７は、この実施形態では３段状に計３個、引っ掛け箇所５の外側面とは反対側の外側面に形成されている。またフック受け７は、この実施形態では第１の物入れ１ａの横幅方向の全長にわたって横溝形（軒樋形）に、全て同一状に形成されている。
【００２３】
またこの実施形態の本発明の場合、第２の物入れ１ｂの引っ掛け部６は、多段状に２個形成されている。またこの引っ掛け部６は、第２の物入れ１ｂの横幅方向の全長にわたって縦断面が鉤形のフック状に、且つ全て同一状に形成されている。これにより第２の物入れ１ｂは、図１、図４等に示されるように、第１の物入れ１ａの２箇所のフック受け７に、２箇所の引っ掛け部６を介して引っ掛けが可能に形成されている。
【００２４】
次に、この実施形態の本発明品の使用例を説明する。
使用者は、図１に示されるように、第１の物入れ１ａをバー４に引っ掛けると共に、この第１の物入れ１ａに第２の物入れ１ｂを引っ掛け、キャビネット２の引き出し３の中に本発明品を設置して使用する。
【００２５】
この場合、使用者は、引き出し３に収納する品物の高さを考慮し、第１の物入れ１ａと第２の物入れ１ｂの引っ掛け高さを変える。
即ち、バー４から第１の物入れ１ａを、またフック受け７から第２の物入れ１ｂを取り外し、任意のバー４、フック受け７に引っ掛け直す。
【００２６】
具体的には、本発明の収納具１を引き出し３内に低く設置したいときは、図１、図２に示されるように、使用者は第１の物入れ１ａの最上段と中段の引っ掛け箇所５をバー４に引っ掛ける。
【００２７】
また本発明品を引き出し３の底板３ｄから離して高く設置したいときは、図４、図５に示されるように、第１の物入れ１ａの中段と最下段の引っ掛け箇所５をバー４に引っ掛ける。この場合は、図１、図２に示される設置状態より、第１の物入れ１ａの下側空間の高さが高くなるから、その分、背の高い品物を第１の物入れ１ａの下側に収納できる。
【００２８】
また使用者は、品物の高さを考慮し、第２の物入れ１ｂを、図１、図２に示されるように、第１の物入れ１ａの最上段と中段のフック受け７に同じ高さで引っ掛けたり、或いは図４に示されるように、高さを変えて引っ掛ける。
なお、この実施形態のように第２の物入れ１ｂが、第１の物入れ１ａに２箇所で引っ掛けられる場合は、第２の物入れ１ｂを安定した姿勢で吊下げることができる。
【００２９】
また使用者は、品物の収納位置に応じて、第１の物入れ１ａをバー４に沿って、また第２の物入れ１ｂを溝状のフック受け７に沿ってスライドさせ、前後方向に位置を変えて設置する。
【００３０】
なお、この実施形態の場合は、上記のとおり、第２の物入れ１ｂを２個備えている。
従って、この実施形態の本発明品は、第２の物入れ１ｂの吊下げ高さや前後の位置を、品物の高さに応じて種々変更できる。それ故、これによれば、引き出し３の中にデッドスペースが生じることをより一層防止でき、品物を効率良く収納できる。
【００３１】
以上の処において、本発明は、第１の物入れ１ａと第２の物入れ１ｂとを備えて形成されているのであれば良い。即ち、本発明は、第２の物入れ１ｂに引っ掛けて使用する第３の物入れを備えているのでも良い。
【００３２】
またバー４は、引き出し類３の両側に設けられている場合には限られず、片側だけに設けられているのでも良い。また上例では、バー４が２段状に計２本設けられ、第１の物入れ１ａが、２箇所の引っ掛け箇所５を介して吊下げられているが、本発明は、要は、引っ掛け箇所５が多段状に形成されているのであれば良く、バー４は１本でも良い。
【００３３】
また本発明の場合、第１の物入れ１ａの引っ掛け箇所５やフック受け７、及び第２の物入れ１ｂの引っ掛け部６の形状や個数、形成範囲（長さ）、形成箇所等は、第１の物入れ１ａ、第２の物入れ１ｂの構造や使い勝手等に合わせ、適宜選定されるので良い。
【００３４】
例えば、上例ではフック受け７が横溝形、第２の物入れ１ｂの引っ掛け部６が縦断面鉤形のフック状に形成されているが、本発明はこれに代え、フック受け７がＵ字溝状に、引っ掛け部６が縦断面逆Ｕ字状に形成されているのでも良い。なぜならこれによると、第２の物入れ１ｂを、バー４に直接引っ掛けて吊るす、という使い方ができるからである。
【００３５】
また本発明の場合、第２の物入れ１ｂは、上例の引っ掛け部６を備えた外側面とは異なる外側面に、第１の物入れ１ａの引っ掛け箇所５と同様の、縦断面逆Ｕ字状のフックが形成されているのでも良い。なぜならこの場合も、第２の物入れ１ｂを、丸棒状のバー４に直接引っ掛けて吊るすことができるからである。
【符号の説明】
【００３６】
１      収納具
１ａ    第１の物入れ
１ｂ    第２の物入れ
２      キャビネット
３      引き出し類
３ａ    前板
３ｂ    後板
４      バー
５      引っ掛け箇所
６      引っ掛け部
７      フック受け
【図１】
2014087459.tif 000003
【図２】
2014087459.tif 000004
【図３】
2014087459.tif 000005
【図４】
2014087459.tif 000006
【図５】
2014087459.tif 000007
【図６】
2014087459.tif 000008